(57)【特許請求の範囲】
【請求項１】
複数のパチンコ機が背向列設されると共に、獲得した景品玉を計数する計数装置が前記パチンコ機毎に対応して設置され且つ前記計数装置で計数され計数排出口から排出されたパチンコ玉及び前記パチンコ機で使用されたパチンコ玉をまとめて回収するアウト玉回収樋が内蔵されたパチンコ島台において、
背向する前記パチンコ機に対応する前記計数排出口同士が、互いに対面し合わない位置に配置されて前記アウト玉回収樋に臨むことを特徴とするパチンコ島台。
【請求項２】
前記計数排出口と対面する位置に、その計数排出口から排出されたパチンコ玉を受けるための受け部が形成されていることを特徴とする請求項１に記載のパチンコ島台。
【請求項３】
前記受け部には、対面する前記計数排出口から排出されて受け部に受け止められて前記アウト玉回収樋上へ排出されるパチンコ玉の流下方向を、前記アウト玉回収樋上を流下するパチンコ玉の流下方向とほぼ同一方向に変換する変流機構を備えたことを特徴とする請求項２に記載のパチンコ島台。
【請求項４】
前記受け部には、対面する前記計数排出口から排出されたパチンコ玉からの衝撃を吸収するための衝撃吸収材が貼着されていることを特徴とする請求項２又は請求項３に記載のパチンコ島台。
【請求項５】
前記計数排出口は、該計数排出口から排出されるパチンコ玉の排出角度を調整するための排出角度調整機構を備えたことを特徴とする請求項１乃至請求項４のいずれかに記載のパチンコ島台。
【発明の詳細な説明】
【０００１】
【発明の属する技術分野】
本発明は、複数のパチンコ機が列設されると共に、獲得した景品玉を計数する計数装置が前記パチンコ機毎に対応して設置され且つ前記計数装置で計数され計数排出口から排出されたパチンコ玉及び前記パチンコ機で使用されたパチンコ玉をまとめて回収するアウト玉回収樋が内蔵されたパチンコ島台に関するものである。
【０００２】
【従来の技術】
近年、遊技者が獲得したパチンコ玉を景品交換所に運ぶことなく、パチンコ機毎に対応して設置された計数装置を介して直接パチンコ島台に返却するキャリーレスシステム（個別ＪＣともいう）を導入するパチンコホールが年々増加する傾向にある。このキャリーレスのパチンコ島台においては、パチンコ機から返却されるパチンコ玉は、計数装置の計数排出口からアウト玉を回収するためのアウト玉回収樋に向けて排出されるものであり、このパチンコ玉が排出される計数排出口は、背向するパチンコ機に対応して、互いに対面して形成されるものであった。
【０００３】
一方、キャリーレスシステムのパチンコ島台に限らず、パチンコ島台の島幅寸法は、極力小さく設計されることが望ましい。これは、島幅寸法を小さくすることにより、パチンコホール内に設置されるパチンコ島台数を増やすことができるためであり、また、パチンコ島台数を増やさない場合であっても、パチンコ島台間の通路を広くすることができ、遊技者に快適なパチンコホールを提供することができるためである。このため、パチンコ島台の幅寸法は、極力小さく設計される傾向にある。
【０００４】
【発明が解決しようとする課題】
ところが、キャリーレスシステムのパチンコ島台において、計数装置からの玉捌けをよくしようとすると、計数排出口からのパチンコ玉の勢いが強くなるため、上記のように、島幅寸法を小さくした場合には、対面し合う計数排出口同士の間隔が狭くなり、一方の計数排出口から排出されるパチンコ玉が対面関係にある他方の計数排出口からのパチンコ玉の排出を妨げてしまう等、アウト玉回収樋へパチンコ玉が効率よく排出されなくなり、逆に、アウト玉回収樋へのパチンコ玉の排出効率を重視すると、計数排出口からのパチンコ玉の勢いを弱くしなければならないため、計数装置からの玉捌けが悪くなり、遊技者のイライラや不満の原因になるという問題があった。このパチンコ玉の排出効率及び計数装置からの玉捌けの両方の問題を解決するために、例えば、特開平１０−１７９９１７号に開示されるように、計数装置からのパチンコ玉の勢いをパチンコ島台内で弱めてからパチンコ玉をアウト玉回収樋へ排出したり、あるいは、特開平１１−９８９２号に開示されるように、計数装置からのパチンコ玉をパチンコ島台内で一旦貯留した後、アウト玉回収樋へ排出したりする方法が考えられる。しかし、上記のようなパチンコ玉の勢いを弱める構造やパチンコ玉を貯留する空間を構成するには、パチンコ島台内（計数装置とアウト玉回収樋の間）に比較的広いスペースを必要とするため、パチンコ島台の島幅寸法を小さくすることができなくなってしまう。仮に、パチンコ島台の島幅寸法を小さくするために、パチンコ玉の勢いを弱める構造やパチンコ玉を貯留する空間を小さく形成した場合には、計数排出口からのパチンコ玉の勢いを弱めることができなかったり、又は、パチンコ玉の貯留量の減少により、即ち、パチンコ玉を貯留する空間がすぐに一杯になり、計数装置からの玉捌けが悪くなったりしてしまい、上記した本来の問題点を解消することができなくなる。
【０００５】
また、背向するパチンコ機においては、対応する計数排出口が互いに対面し合っているので、一度に大量のパチンコ玉がパチンコ島台に返却され（パチンコホールの閉店間際等）、対面し合う計数排出口から同時にパチンコ玉が排出された場合に、パチンコ玉同士が衝突して騒音が発生したり、衝突することによりパチンコ玉が一箇所に集中してアウト玉回収樋上へ落下するためアウト玉回収樋が損傷，破損するという問題もあった。本発明は、上記した事情に鑑みなされたもので、その目的とするところは、計数装置から排出されるパチンコ玉を効率よくパチンコ島台内へ排出することができ、且つパチンコ島台の島台寸法を小さく設計することができるパチンコ島台を提供することにある。
【０００６】
【課題を解決するための手段】
上記した目的を達成するために、請求項１に記載の発明においては、複数のパチンコ機が背向列設されると共に、獲得した景品玉を計数する計数装置が前記パチンコ機毎に対応して設置され且つ前記計数装置で計数され計数排出口から排出されたパチンコ玉及び前記パチンコ機で使用されたパチンコ玉をまとめて回収するアウト玉回収樋が内蔵されたパチンコ島台において、背向する前記パチンコ機に対応する前記計数排出口同士が、互いに対面し合わない位置に配置されて前記アウト玉回収樋に臨むことを特徴とするものである。このように構成することにより、計数排出口からパチンコ玉を勢いよく排出しても、対面する計数排出口からのパチンコ玉の排出を妨げることがないため、パチンコ玉をアウト玉回収樋上へ効率よく排出することができる。また、計数排出口から排出されるパチンコ玉同士の衝突が起こらないため、衝突による騒音の発生や、パチンコ玉の一箇所集中落下によるアウト玉回収樋の損傷，破損を防止することができる。更に、パチンコ玉の排出の勢いを弱める構造等が不要になるため、パチンコ島台の島幅寸法を小さく形成することができる。
【０００７】
また、請求項２に記載の発明においては、前記計数排出口と対面する位置に、その計数排出口から排出されたパチンコ玉を受けるための受け部が形成されていることを特徴とするものである。このように構成することにより、計数排出口から排出されるパチンコ玉の勢いを受け部で一旦弱めるため、アウト玉回収樋上のパチンコ玉の流下を妨げることなく、計数排出口から排出されたパチンコ玉をアウト玉回収樋上へ排出することができる。また、計数排出口からのパチンコ玉が直接アウト玉回収樋上へ排出されることがないため、アウト玉回収樋の損傷，破損を防止することができる。更に、パチンコ玉の排出の勢いを弱める構造としての受け部が、計数排出口と対面する位置に形成されているため、アウト玉回収樋上方のスペース、つまり、パチンコ玉がアウト玉回収樋を超える空間を利用することにより、前記受け部をできるだけ小さく形成することが可能になる。即ち、パチンコ島台内のスペースの有効利用は、パチンコ島台の島幅寸法を小さく形成することを可能にするものである。
【０００８】
【０００９】
また、請求項３に記載の発明においては、前記受け部には、対面する前記計数排出口から排出されて受け部に受け止められて前記アウト玉回収樋上へ排出されるパチンコ玉の流下方向を、前記アウト玉回収樋上を流下するパチンコ玉の流下方向とほぼ同一方向に変換する変流機構を備えたことを特徴とするものである。このように構成することにより、受け部に受け入れられたパチンコ玉が、アウト玉回収樋上のパチンコ玉の流下方向とほぼ同一方向でアウト玉回収樋上へ排出されるため、アウト玉回収樋上のパチンコ玉の流下を妨げることなく、計数排出口から排出されたパチンコ玉をアウト玉回収樋上へ排出することができる。
【００１０】
また、請求項４に記載の発明においては、前記受け部には、対面する前記計数排出口から排出されたパチンコ玉からの衝撃を吸収するための衝撃吸収材が貼着されていることを特徴とするものである。このように構成することにより、受け部に落下してくるパチンコ玉の衝撃を衝撃吸収材により吸収するため、受け部自体の損傷，破損や騒音の発生を防止することができる。
【００１１】
更に、請求項５に記載の発明においては、前記計数排出口は、該計数排出口から排出されるパチンコ玉の排出角度を調整するための排出角度調整機構を備えたことを特徴とするものである。このように構成することにより、計数排出口から排出されるパチンコ玉の排出角度を調整することでパチンコ玉の落下位置を変えることができるため、パチンコ玉を最適の位置に落下させることができる。
【００１２】
【発明の実施の形態】
以下、図面を参照して本発明の実施形態について説明する。まず、図１及び図２を参照して本実施形態に係るパチンコ島台１の概略構成について説明する。図１は、本実施形態に係るパチンコ島台１の内部を示す側面図であり、図２は、パチンコ機２が設置される部分のパチンコ島台１の拡大図である。なお、図１において、パチンコ機２，台間玉貸機３，分配シュート９，補給装置１０及びアウト玉回収ボックス１６の符号は、右側のパチンコ機ユニットＡ１１にのみ記載してあるが、右側の他のパチンコ機ユニットＡ１〜Ａ１０及び左側のパチンコ機ユニットＡ１〜Ａ１１についても、同様に上記符号に対応する部品が備えられるものである。
【００１３】
図において、パチンコ島台１は、周知のように、直方体状に枠組み構成され、その長手方向両面に複数のパチンコ機２を背向列設するようになっている。また、パチンコ島台１には、各パチンコ機２に挟持されるように台間玉貸機３が設けられており、この台間玉貸機３はパチンコ機２と１対１対応するように設けられていると共に、硬貨または紙幣、あるいはプリペイドカードまたは貯玉カードによりパチンコ玉を貸し出すようになっている。この１対１対応して設けられたパチンコ機２と台間玉貸機３から構成されるパチンコ機ユニットＡが、本実施形態においては、パチンコ島台１の端部からＡ１〜Ａ１１の順に、後述する玉揚送装置４を挟んで左右１１台ずつ（図の左側は、一部省略）で、パチンコ島台１の両側面に計４４台設置されているが、遊技場によってはそれ以上又は以下の台数のパチンコ機ユニットが設置される場合もある。
【００１４】
更にＡ１〜Ａ１１の各パチンコ機２は、遊技により獲得した景品玉を計数するための後述する計数手段としての計数装置８３及び景品玉をレシートまたはカード等に記憶する景品玉記憶装置（図示しない）等が設けられているため、遊技者は、遊技によって獲得した景品玉をレシートまたはカード等に記憶させて景品と交換することができ、パチンコ玉を景品交換所に運ぶ必要がなくなる。なお、前記カード等にはカードを識別するために必要なＩＤ番号が記憶されていると共に、各パチンコ機２毎にカード盗難防止装置も設けられているので、カード等が悪用されたり、盗難される心配はない。
【００１５】
また、パチンコ島台１のほぼ中央には、玉揚送装置４が収納される玉揚送装置収納部５が立設されている。本実施形態に係る玉揚送装置４は、帯状の搬送ベルトによってパチンコ玉を揚送するものであり、その帯状の搬送ベルトがパチンコ島台１の長手方向と直交するように配置されて下部の導入樋４ａから導入したパチンコ玉を上部に研磨しながら揚送して上部の排出口４ｂから次に説明する上部タンク６に排出するものである。
【００１６】
玉揚送装置４の上部には、揚送されたパチンコ玉を一時的に貯留する上部タンク６，７が設けられ、該上部タンク６，７からは、各パチンコ機２にパチンコ玉を供給するための補給樋８が、パチンコ島台１の長手方向端部に向かって傾斜状に設けられている。玉揚送装置４により揚送されたパチンコ玉は、まず上部タンク６（以下、上部主タンク６という）につながる補給樋８に最優先で送られ、上部主タンク６でオーバーフローしたパチンコ玉は次に上部タンク７（以下、上部従タンク７という）につながる補給樋８に送られ、更に上部従タンク７でオーバーフローしたパチンコ玉は、玉揚送装置４の側面に沿って形成されるオーバーフローダクト及び中継樋１４を介してパチンコ島台１の下部にある貯留タンク１３の溢れ玉誘導樋４５に誘導されるようになっている。溢れ玉誘導樋４５に誘導されたパチンコ玉は、貯留タンク１３の底板４９（図３参照）へ落下し、貯留タンク１３に貯留されることとなるが、この貯留タンク１３に貯留されたパチンコ玉は、玉揚送装置４により研磨されているため、常にきれいにされた状態のパチンコ玉である。なお、オーバーフローダクトは、玉揚送装置収納部５に一体的に形成されている。
【００１７】
また、補給樋８には、各パチンコ機２にパチンコ玉を誘導する分配シュート９が各パチンコ機２に対応して設けられている。分配シュート９によって取り込まれたパチンコ玉は、分配シュート９の下方に位置する計数装置（図示しない）により玉数が計数された後、補給装置１０を介してパチンコ機２の背面上部に設けられた賞球タンクに供給され、景品玉や遊技玉として使用される。また、補給樋８の下流端には、玉抜き用分離器１１が設けられており、補給樋８の下流端まで流下してきたパチンコ玉は、玉抜き用分離器１１から蛇腹１２を介して後述するアウト玉回収樋１７へ導出されることにより、パチンコ玉がパチンコ島台１内を循環している。
【００１８】
一方、パチンコ機２から排出される使用済みのパチンコ玉（アウト玉）は、計数機能を有する受入手段としてのアウト玉回収ボックス１６で回収された後、下方に排出される。アウト玉回収ボックス１６から排出されたパチンコ玉は、パチンコ島台１の両端部からそのほぼ中央に立設される玉揚送装置４の下部に向けて下り傾斜状に設けられる前記アウト玉回収樋１７上に落下せしめられる。
【００１９】
また、パチンコ機２の下部には、パチンコ島台１に対してほぼ直交するように外側に向かってカウンター台８６が突設されている。該カウンター台８６には、玉箱８７が載置されると共に、遊技者が遊技で獲得し、玉箱８７に貯留した景品玉を返却する機能が付設されており、景品玉落下口８８（図４参照）を介して玉箱８７から返却された景品玉は、計数装置８３で計数した後、アウト玉回収樋１７に落下せしめられる。
【００２０】
なお、アウト玉回収樋１７は、計数装置８３で計数されたパチンコ玉（景品玉）及びパチンコ機２から排出される使用済みのパチンコ玉（アウト玉）をまとめて回収するものであり、図４に示すように、簀の子状の誘導レールがパチンコ島台１の幅方向中央の位置に長手方向に沿って敷設されている。また、図１に示すように、玉揚送装置４を挟んで右側のアウト玉回収樋１７の下流端は、後述する中継タンク１５に接続されており、玉揚送装置４を挟んで左側のアウト玉回収樋１７は、中継タンク１５と同様の機能を持つ中継タンク１８に接続され、中継タンク１８は、連結樋１９を介して貯留タンク１３に接続されている。なお、アウト玉回収樋１７は、簀の子状の誘導レールに限らず、ベルトコンベア等により構成されるものであってもよい。
【００２１】
また、図示の実施形態においては、玉揚送装置４の一側側方に貯留タンク１３が設けられているが、貯留タンク１３は、パチンコ機２の横幅寸法の約３〜４台分に相当する長さに形成されており、パチンコ島台１に設置される複数の玉箱８７の総容量を許容できる程度の大きさに設計されている。
【００２２】
そこで、貯留タンク１３及び貯留タンク１３に隣接して設けられる中継タンク１５の構造について図３を参照して説明する。図３は、貯留タンク１３及び中継タンク１５の内部を透写した状態の斜視図である。
【００２３】
まず、貯留タンク１３は、パチンコ島台１のパチンコ機ユニットＡ８〜Ａ１１に対応するパチンコ機２のカウンター台８６より下方の下部空間に設置される上方が開放した直方体状のタンク基台によって構成されている。なお、貯留タンク１３は、パチンコ島台１の玉揚送装置４を挟んで右側にのみ設置されているため、玉揚送装置４を挟んで左側のパチンコ機ユニットＡ８〜Ａ１１には対応するものではない。
【００２４】
前記タンク基台は、第１側板４０ａと第２側板４０ｂと前板４１と後板４２と底板４９とから構成されている。第１側板４０ａ及び第２側板４０ｂの上端部には、パチンコ機ユニットＡ８〜Ａ１１のパチンコ機２からのパチンコ玉を貯留タンク内に排出するための玉排出口４３がそれぞれ４箇所ずつ形成され、この玉排出口４３の下方には、下流部誘導樋４８が設けられている。下流部誘導樋４８は、パチンコ機ユニットＡ７に対応する玉排出口４３（図中左から４番目）の下方から前板４１及び貯留タンク１３の中央部に向けて下り傾斜して設けられている。なお、この下流部誘導樋４８は、第１側板４０ａと第２側板４０ｂのいずれにも設けられている。
【００２５】
前板４１の上端部中央には、前記中継樋１４が接続される導入口４４が形成され、この導入口４４から後板４２に向けて下り傾斜して溢れ玉誘導樋４５が設けられている。この溢れ玉誘導樋４５は、導入口４４の開口幅とほぼ同じ幅寸法で形成されており、その下流端は、後板４２と間隔を持って設けられている。また、その両側方にはガイド板４６が立設され、このガイド板４６には、それぞれ３箇所ずつ溢れ玉落下口４７が開設されている。この溢れ玉落下口４７は、貯留タンク１３の長手方向で、前記玉排出口４３と玉排出口４３との間の位置に開設されるものである。なお、溢れ玉誘導樋４５と前記下流部誘導樋４８との間には、幅方向で隙間が形成されるように設置され、玉排出口４３から排出されるパチンコ玉や溢れ玉落下口４７から落下するパチンコ玉は、この隙間から貯留タンク内へ落下することとなる。
【００２６】
底板４９は、後板４２から前板４１に向かって下り傾斜していると共に、第１側板４０ａから第２側板４０ｂに向かっても僅かに下り傾斜しており、その傾斜に沿って底板４９と第２側板４０ｂとにより形成される隅角部に、下層部誘導バイパス５０及びアウト玉優先バイパス５１が上下に積層して設けられている。また、底板４９の下流端は、前板４１に当接すると共に、底板４９の下流部の第２側板４０ｂ側には、合流部５４が形成されている。この合流部５４の上方には、第１側板４０ａから合流部５４に向けて下り傾斜する合流傾斜板５５の下流端が臨んでおり、この合流傾斜板５５の上流端側の前板４１には、前記連結樋１９が接続される連結口（図示しない）が開設されている。前板４１の底板４９が当接する部分には、前記玉揚送装置４の導入樋４ａが接続される貯留タンク排出口５６が穿設され、合流部５４内のパチンコ玉は、この貯留タンク排出口５６から排出されることとなる。
【００２７】
また、合流部５４及び合流傾斜板５５の上方には、第１側板４０ａから第２側板４０ｂに亘って第１圧抜板５２が設けられている。この第１圧抜板５２は、前板４１から後板４２の方向へ下り傾斜して設けられ、合流部５４及び合流傾斜板５５をほぼ覆う程度の寸法で形成されている。第１圧抜板５２の下流端の下方には、第１側板４０ａから第２側板４０ｂに亘って第１圧抜板５２と同じ傾斜方向で、第１圧抜板５２より小さい幅寸法で第２圧抜板５３が形成されている。
【００２８】
前記下層部誘導バイパス５０及びアウト玉優先バイパス５１は、下層部誘導バイパス５０の上段にアウト玉優先バイパス５１が積層して設けられるものであるが、下段の下層部誘導バイパス５０は、貯留タンク１３の長手方向より若干短い長さであってその下流端が合流部５４からやや離れた上流側に臨むようになっている。一方、上段のアウト玉優先バイパス５１の下流端は、合流部５４の直前位置に臨むように位置している。即ち、アウト玉優先バイパス５１の下流端が下層部誘導バイパス５０の下流端よりも上方であってより下流側に臨むようになっている。また、下層部誘導バイパス５０の第１側板４０ａ側の側面には、その上流端とほぼ中央部にパチンコ玉を下層部誘導バイパス５０内に導入するための導入穴（図示しない）が開設されている。
【００２９】
次に、中継タンク１５は、パチンコ島台１のパチンコ機ユニットＡ７に対応するパチンコ機２のカウンター台８６より下方の下部空間に設置される上方が開放した直方体状のタンク基台によって構成されている。なお、パチンコ島台１の玉揚送装置４を挟んで左側のパチンコ機ユニットＡ６には、中継タンク１５は設置されておらず、中継タンク１５と同様の機能を有する中継タンク１８がパチンコ機ユニットＡ１１に設置されている。
【００３０】
前記タンク基台は、後板４２と第１側板６０ａと第２側板６０ｂと上流側板６１と底板６７と前記アウト玉優先バイパス５１の底面部から構成されている。第１側板６０ａ及び第２側板６０ｂの上端部には、パチンコ機ユニットＡ７のパチンコ機２からのパチンコ玉を中継タンク内に排出するための玉排出口４３が形成され、この玉排出口４３の下方には、誘導板６３が設けられている。誘導板６３は、パチンコ機ユニットＡ７に対応する玉排出口４３の下方から中継タンク１５の中央部に向けて下り傾斜して設けられるものであり、第１側板６０ａ及び第２側板６０ｂのいずれにも設けられている。誘導板６３の下流端の下方には、第１合流部６４を形成する合流底板６８が第１側板６０ａ側に向かって下り傾斜して設けられており、この合流底板６８の下流端と第１側板６０ａ側の誘導板６３の下流端との間には隙間が形成されている。
【００３１】
底板６７は、上流側板６１から後板４２に向かって下り傾斜していると共に、第１側板６０ａから第２側板６０ｂに向かっても僅かに下り傾斜している。この底板６７の第２側板６０ｂ側の下流端は、中継タンク１５側に突出した前記アウト玉優先バイパス５１の底面部に当接している。また、底板６７の上面には、上流側板６１から第２側板６０ｂに亘って切り欠きが形成された合流板６５が貼着されている。また、上流側板６１の底板６７が当接した部分には、アウト玉回収樋１７が接続されるアウト玉導入口６２が開設されている。
【００３２】
以上、貯留タンク１３及び中継タンク１５の構造について説明してきたが、次に、貯留タンク１３及び中継タンク１５の作用をパチンコ玉の流れに沿って説明する。
【００３３】
まず、前述したように、玉揚送装置４によって揚送され、上部従タンク７でオーバーフローしたパチンコ玉が中継樋１４を介して貯留タンク１３内の溢れ玉誘導樋４５に導入され、溢れ玉誘導樋４５上を流下する。パチンコ玉は、溢れ玉誘導樋４５を流下する途中で溢れ玉落下口４７から溢れ玉誘導樋４５と下流部誘導樋４８との間を通って貯留タンク１３の底板４９に向けて落下し、貯留タンク１３内に貯留されていく。このとき、パチンコ玉が落下するのは、溢れ玉落下口４７が穿設された位置からと溢れ玉誘導樋４５の下流端からであるため、この位置の下方に優先的にパチンコ玉が貯留されることとなる。したがって、貯留されるパチンコ玉の上面は、溢れ玉落下口４７及び溢れ玉誘導樋４５に対応する位置を頂点として波形のような形状となる。即ち、溢れ玉落下口４７及び溢れ玉誘導樋４５に対応する位置が凸部に形成され、それ以外の位置は、凹部に形成される。また、溢れ玉落下口４７が形成される位置は、前述のように、玉排出口４３と玉排出口４３との間であるため、前記凹部が形成される位置は、玉排出口４３に対応する位置になる。
【００３４】
そして、パチンコ機ユニットＡ８〜Ａ１１のパチンコ機２から排出されるパチンコ玉が玉排出口４３を介して前記貯留タンク１３内に貯留されたパチンコ玉の前記凹部に排出され、凹部にパチンコ玉が貯留されていく。パチンコ機２から排出されるパチンコ玉で凹部が満たされると、次にパチンコ玉は、下流部誘導樋４８を転動して前板４１側へ流下し、前板４１側から次第に貯留されていくこととなる。
【００３５】
こうして貯留タンク１３内に貯留されたパチンコ玉は、下層部誘導バイパス５０に形成された前記導入口（図示しない）から下層部誘導バイパス５０に導入された後、下層部誘導バイパス５０の下流端から、あるいは、合流傾斜板５５の後板４２側の側方に形成される導出路（図示しない）を通って合流部５４に導入される。このとき、貯留タンク１３の前板４１側には、前述のように、第１圧抜板５２及び第２圧抜板５３が設けられているため、合流部５４に導入されるパチンコ玉は、貯留されたパチンコ玉の圧力を受けることがない。
【００３６】
一方、前記中継タンク１５には、この中継タンク１５の上方に位置するパチンコ機ユニットＡ７のパチンコ機２からのパチンコ玉が、玉排出口４３から誘導板６３上に排出される。中継タンク１５の両誘導板６３上に排出されたパチンコ玉は、合流底板６８上に落下して第１合流部６４で合流した後、合流板６５上に落下する。合流板６５上に落下したパチンコ玉は、アウト玉導入口６２を介してアウト玉回収樋１７から導入されるパチンコ玉とアウト玉合流部６６で合流する。そして、アウト玉合流部６６で合流したパチンコ玉は、アウト玉優先バイパス５１内を流下した後、アウト玉優先バイパス５１の流下端から合流部５４に排出されることとなる。こうして玉揚送装置４を挟んでパチンコ島台１の右側に位置するパチンコ機ユニットＡ１〜Ａ７のパチンコ機２から排出されるパチンコ玉が、合流部５４に排出されることとなる。
【００３７】
また、前板４１に開設された前記連結口（図示しない）からは、中継タンク１８内のパチンコ玉が連結樋１９を介して合流傾斜板５５上に排出された後、合流傾斜板５５上を流下して合流部５４に排出される。中継タンク１８は、玉揚送装置４を挟んでパチンコ島台１の左側に位置するパチンコ機ユニットＡ１〜Ａ１０のパチンコ機２から排出されるパチンコ玉と、パチンコ機ユニットＡ１１のパチンコ機２から排出されるパチンコ玉とを中継タンク１５と同様の方法により合流するものである。こうして玉揚送装置４を挟んでパチンコ島台１の左側に位置するパチンコ機ユニットＡ１〜Ａ１１のパチンコ機２から排出されるパチンコ玉が、合流部５４に排出されることとなる。
【００３８】
ここで、合流部５４の下流端で前板４１に当接する部分には、前述のように、玉揚送装置４へ連通する貯留タンク排出口５６が開設されており、この貯留タンク排出口５６の上方には、合流傾斜板５５の下流端が臨んでいる。また、上記のように、アウト玉優先バイパス５１の下流端は、合流部５４の直前位置に臨むように位置し、下層部誘導バイパス５０の下流端は、合流部５４からやや離れた上流側に臨むようになっている。また、合流傾斜板５５の後板４２側の側方に形成される前記導出路（図示しない）の下流端は、アウト玉優先バイパス５１の下流端の下方に位置している。このため、合流傾斜板５５からのパチンコ玉及びアウト玉優先バイパス５１からのパチンコ玉は、下層部誘導バイパスからのパチンコ玉及び導出路からのパチンコ玉に覆い被さるようにして合流部５４に導出されるので、より貯留タンク排出口５６に導出されやすくなる。即ち、玉揚送装置４を挟んでパチンコ島台１の右側に位置するパチンコ機ユニットＡ１〜Ａ７のパチンコ機２から排出されるパチンコ玉、及び玉揚送装置４を挟んでパチンコ島台１の左側に位置するパチンコ機ユニットＡ１〜Ａ１１のパチンコ機２から排出されるパチンコ玉が、貯留タンク１３内に貯留されたパチンコ玉に優先して玉揚送装置４に導出されることとなる。
【００３９】
次に、本実施形態の要部を構成するパチンコ島台１の玉排出空間８０について、図４及び図５を参照して説明する。図４は、実施形態に係るパチンコ機ユニットＡ１〜Ａ６（玉揚送装置４の左側に関しては、Ａ１〜Ａ１０）の内部を示す斜視図であり、図５は、実施形態に係るパチンコ島台１の内部を示す断面図である。なお、パチンコ機ユニットＡは、玉揚送装置４を挟んでパチンコ島台１の左右に対称に設置されるものであるため、ここでは、図１における玉揚送装置４の右側のパチンコ機ユニットＡについて説明する。また、玉排出空間８０が設けられるのは、玉揚送装置４を挟んで右側のパチンコ機ユニットＡについてはＡ１〜Ａ６であり、左側のパチンコ機ユニットＡについては、Ａ１〜Ａ１０である。この玉揚送装置４の左右に設置されるパチンコ機ユニットＡに設けられる玉排出空間８０の構造は、Ａ１〜Ａ６については、左右のパチンコ機ユニットＡ同士でそのまま対応している。また、右側のパチンコ機ユニットＡ１〜Ａ６のそれぞれは、玉排出空間８０の高さ寸法が玉揚送装置４側にいくにつれて大きくなること以外は同じ構造である。つまり、パチンコ機ユニットＡ１と同様の構造が６台分並設していることになる。同様に、左側のパチンコ機ユニットＡ１〜Ａ１０も、それぞれ同様の構成になっている。つまり、左側のパチンコ機ユニットＡ１と同様の構成が１０台分並設していることになる。更に、左右のパチンコ機ユニットＡ１は、対応しているので、結局、右側のパチンコ機ユニットＡ１と同様の構成が片面において右側で６台、左側で１０台、計１６台存在する。本実施形態では、左右のパチンコ機ユニットＡが各１１台となっているが、１１台以上のパチンコ機ユニットＡで構成されるときは、パチンコ機ユニットＡ１と同様の構成のものを増やし、並設する。
【００４０】
まず、図４及び図５において、パチンコ島台１の内部であって、互いに背向するパチンコ機２（図２参照）の間に形成される空間の下方には、アウト玉回収樋１７及び傾斜側板８２により、計数排出口８５からのパチンコ玉及びパチンコ機で使用されたパチンコ玉が排出される玉排出空間８０が形成されている。この玉排出空間８０は、図１に示すように、パチンコ島台１の端部からパチンコ島台１の玉揚送装置４側に向かって徐々にその高さ寸法が大きくなっている。これは、前述のように、アウト玉回収樋１７が、パチンコ島台１の両端部からそのほぼ中央に立設される玉揚送装置４の下部に向けて下り傾斜状に設けられているためである。
【００４１】
玉排出空間８０の両側方に位置する傾斜側板８２は、上方から下方に亘って傾斜して形成されているため、玉排出空間８０は、上方から下方に亘ってその幅寸法が小さく形成されている。傾斜側板８２の右側上部には、後述する計数排出口８５が形成されており、左側には、上方から下方にかけて受け部８９が形成されている。この計数排出口８５及び受け部８９は、それぞれ背向するパチンコ機１の受け部８９及び計数排出口８５と互いに対面する位置に配置されている。即ち、計数排出口８５同士及び受け部８９同士は、対面しておらず、計数排出口８５と受け部８９が対面する位置に配置されている。更に、各々の計数排出口８５は、同時にパチンコ玉をアウト玉回収樋へ排出しても互いに干渉し合わない間隔の位置関係にある（互いに等間隔であることが望ましい）。
【００４２】
計数排出口８５の玉排出空間８０側には、計数排出口８５から排出されるパチンコ玉の排出角度を調節するための排出角度調整機構１００が設けられている。排出角度調整機構１００は、計数排出口８５の両側方に取り付けられる側板１０１と、側板１０１に軸支されて先端が上下に回動する底板１０２と、底板１０２の回動をガイドする摺動溝１０３と、底板１０２の先端を側板１０１に固定するための止めネジ１０４と、から構成されている。底板１０２は、一方の端部が計数排出口８５の下端部近傍の位置で側板１０１に軸支されると共に、他方の端部が摺動溝１０３に沿って上下方向に回動して所定の位置で止めネジ１０４により固定されるものである。このように、排出角度調整機構１００は、底板１０２の角度を、摺動溝１０３の長さの範囲で任意に変えることができるものである。また、図４には、排出角度調整機構１００は、１ヶ所のみに示されているが、図示の位置のみに設置されるものに限らず、他の計数排出口８５に対して、あるいはすべての計数排出口８５に対して設置されるものであってもよく、必要に応じて、その都度、各々の計数排出口８５に対して設置されるものである。
【００４３】
受け部８９は、傾斜側板８２よりも一段奥の位置にほぼ垂直方向に設けられる受け部側板９０と、受け部側板９０側からアウト玉回収樋１７に向かって下り傾斜する受け部底板９１と、受け部底板９１表面に貼着される衝撃吸収材９２と、受け部底板９１上のパチンコ玉の流下方向をアウト玉回収樋１７上のパチンコ玉の流下方向とほぼ同一方向にするための変流機構９３と、受け部底板９１上のパチンコ玉をアウト玉回収樋１７上へ排出する排出開口部９４と、から構成されている。
【００４４】
パチンコ島台１の内部であって、パチンコ機２の下方には、上面が開口した箱状の部材で形成されたアウト玉回収ボックス１６が設置されている。アウト玉回収ボックス１６の底面は、底面の中心に向かってロート状に形成されると共に、その中心にはパチンコ玉の排出口（図示しない）が開口されるものであり、パチンコ機２から排出されたアウト玉を回収し、アウト玉回収樋１７に排出するものである。
【００４５】
以上、玉排出空間８０の構造について説明したが、次に、玉排出空間８０の作用をパチンコ玉の流れに沿って説明する。
【００４６】
まず、図４において、遊技者がパチンコ遊技によって獲得し、玉箱８７に貯留したパチンコ玉は、所定の操作を行うことにより、玉箱８７の底面及びカウンター台８６の表面に形成された景品玉落下口８８を介してカウンター台８６の裏面に設置された計数装置８３により計数され、パチンコ島台１内部に形成された計数排出通路８４（図５参照）を通り、傾斜側板８２に開設された計数排出口８５から玉排出空間８０に排出される。
【００４７】
パチンコ玉が玉箱８７から計数排出口８５に至るまでの経路については、本実施形態においては、図４に示すように、景品玉落下口８８から計数装置８３内に落下したパチンコ玉は、計数装置８３内を左方向に流下した後、計数装置８３内で計数排出口８５に向かって流下方向を変え、計数排出通路８４を通って計数排出口８５から排出されるものである。このため、本実施形態に係る計数装置８３は、図２に示すように、カウンター台８６の裏側の中央からやや左側に渡って設置されている。このような排出経路に限らず、最終的にパチンコ機２の中心から外れた位置にある計数排出口８５からパチンコ玉が排出されればどのように流下方向を変えてもよく、例えば、計数排出通路８４内で流下方向を変えるようなものであってもよい。
【００４８】
玉排出空間８０に排出されたパチンコ玉は、アウト玉回収樋１７の上方を渡り、計数排出口８５と対面する位置に形成された受け部８９によって受け止められる。このとき、計数排出口８５から排出されるパチンコ玉が、受け部８９によって受け止められるようにパチンコ玉の落下位置を排出角度調整機構１００によって調節することができる。即ち、計数排出口８５から排出されるパチンコ玉の勢いの強弱によって、排出角度調整機構１００の底板１０２の角度を変えてパチンコ玉の排出角度を調節し、パチンコ玉が受け部８９によって受け止められるようにすることができる。パチンコ玉の落下位置を調整するには、底板１０２を側板１０１に固定している両側方の止めネジ１０４を緩め、計数排出口８５から側板１０１上を通って排出されるパチンコ玉が所定の位置（例えば、受け部底板９１のほぼ中心）に落下するように底板１０２の角度を調整し、角度が決定した後に両側方の止めネジ１０４を締め付けて底板１０２を側板１０１に固定する。なお、本実施形態において、衝撃吸収材９２は、受け部底板９１にのみ貼着されているが、受け部側板９０に貼着してもよく、この場合には、パチンコ玉の落下衝撃による受け部側板９０の損傷，破損も防止することができる。
【００４９】
受け部８９によって受け入れられたパチンコ玉は、受け部８９の受け部底板９１上を流下して排出開口部９４からアウト玉回収樋１７上へ排出される。このとき、受け部底板９１上のパチンコ玉は、変流機構９３によって受け部底板９１の下流側に誘導されるため、排出開口部９４から排出されるパチンコ玉の流下方向は、アウト玉回収樋１７上のパチンコ玉の流下方向とほぼ同一方向となる。このため、アウト玉回収樋１７上のパチンコ玉の流下を妨げることなく、排出開口部９４からアウト玉回収樋１７上へパチンコ玉を排出することができる。
【００５０】
以上、パチンコ島台１の詳細な構成について説明してきたが、本実施形態においては、複数のパチンコ機２が背向列設されると共に、獲得した景品玉を計数する計数装置８３が前記パチンコ機２毎に対応して設置され且つ前記計数装置８３で計数され計数排出口８５から排出されたパチンコ玉及び前記パチンコ機２で使用されたパチンコ玉をまとめて回収するアウト玉回収樋１７が内蔵されたパチンコ島台１において、背向する前記パチンコ機２に対応する前記計数排出口８５同士が、互いに対面し合わない位置に配置されて前記アウト玉回収樋１７に臨むことを特徴とするものである。このように構成することにより、計数排出口８５からパチンコ玉を勢いよく排出しても、対面する計数排出口８５からのパチンコ玉の排出を妨げることがないため、パチンコ玉をアウト玉回収樋１７上へ効率よく排出することができる。また、計数排出口８５から排出されるパチンコ玉同士の衝突が起こらないため、衝突による騒音の発生や、パチンコ玉の一箇所集中落下によるアウト玉回収樋１７の損傷，破損を防止することができる。更に、パチンコ玉の排出の勢いを弱める構造等が不要になるため、パチンコ島台１の島幅寸法を小さく形成することができる。
【００５１】
また、本実施形態においては、前記計数排出口８５と対面する位置に、その計数排出口８５から排出されたパチンコ玉を受けるための受け部８９が形成されていることを特徴とするものである。このように構成することにより、計数排出口８５から排出されるパチンコ玉の勢いを受け部８９で一旦弱めるため、アウト玉回収樋１７上のパチンコ玉の流下を妨げることなく、計数排出口８５から排出されたパチンコ玉をアウト玉回収樋１７上へ排出することができる。また、計数排出口８５からのパチンコ玉が直接アウト玉回収樋１７上へ排出されることがないため、アウト玉回収樋１７の損傷，破損を防止することができる。更に、パチンコ玉の排出の勢いを弱める構造としての受け部８９が、計数排出口８５と対面する位置に形成されているため、アウト玉回収樋１７上方のスペース、つまり、パチンコ玉がアウト玉回収樋１７を超える空間を利用することにより、前記受け部８９をできるだけ小さく形成することが可能になる。即ち、パチンコ島台１内のスペースの有効利用は、パチンコ島台１の島幅寸法を小さく形成することを可能にするものである。
【００５２】
また、本実施形態においては、複数のパチンコ機２が列設されると共に、獲得した景品玉を計数する計数装置８３が前記パチンコ機２毎に対応して設置され且つ前記計数装置８３で計数され計数排出口８５から排出されたパチンコ玉及び前記パチンコ機２で使用されたパチンコ玉をまとめて回収するアウト玉回収樋１７が内蔵されたパチンコ島台１において、前記計数排出口８５と対面する位置に、その計数排出口８５から排出されたパチンコ玉を受けるための受け部８９が形成されていることを特徴とするものである。このように構成することにより、計数排出口８５から排出されるパチンコ玉の勢いを受け部８９で一旦弱めるため、アウト玉回収樋１７上のパチンコ玉の流下を妨げることなく、計数排出口８５から排出されたパチンコ玉をアウト玉回収樋１７上へ排出することができる。また、計数排出口８５からのパチンコ玉が直接アウト玉回収樋１７上へ排出されることがないため、アウト玉回収樋１７の損傷，破損を防止することができる。更に、パチンコ玉の排出の勢いを弱める構造としての受け部８９が、計数排出口８５と対面する位置に形成されているため、アウト玉回収樋１７上方のスペース、つまり、パチンコ玉がアウト玉回収樋１７を超える空間を利用することにより、前記受け部８９をできるだけ小さく形成することが可能になる。即ち、パチンコ島台１内のスペースの有効利用は、パチンコ島台１の島幅寸法を小さく形成することを可能にするものである。
【００５３】
また、本実施形態においては、前記受け部８９には、対面する前記計数排出口８５から排出されて受け部８９に受け止められて前記アウト玉回収樋１７上へ排出されるパチンコ玉の流下方向を、前記アウト玉回収樋１７上を流下するパチンコ玉の流下方向とほぼ同一方向に変換する変流機構９３を備えたことを特徴とするものである。このように構成することにより、受け部８９に受け入れられたパチンコ玉が、アウト玉回収樋１７上のパチンコ玉の流下方向とほぼ同一方向でアウト玉回収樋１７上へ排出されるため、アウト玉回収樋１７上のパチンコ玉の流下を妨げることなく、計数排出口８５から排出されたパチンコ玉をアウト玉回収樋１７上へ排出することができる。
【００５４】
また、本実施形態においては、前記受け部８９には、対面する前記計数排出口８５から排出されたパチンコ玉からの衝撃を吸収するための衝撃吸収材９２が貼着されていることを特徴とするものである。このように構成することにより、受け部８９に落下してくるパチンコ玉の衝撃を衝撃吸収材９２により吸収するため、受け部８９自体の損傷，破損や騒音の発生を防止することができる。
【００５５】
更に、本実施形態においては、前記計数排出口８５は、該計数排出口８５から排出されるパチンコ玉の排出角度を調節するための排出角度調整機構１００を備えたことを特徴とするものである。このように構成することにより、計数排出口８５から排出されるパチンコ玉の排出角度を調整することでパチンコ玉の落下位置を変えることができるため、パチンコ玉を最適の位置に落下させることができる。
【００５６】
なお、本実施形態においては、計数排出口８５からアウト玉回収樋１７上へパチンコ玉を排出するものを示したが、アウト玉回収樋１７上ではなく、貯留タンク１３にパチンコ玉を排出するものであっても、本発明の技術思想から逸脱するものでなければよい。
【００５７】
また、本実施形態においては、複数のパチンコ機２が背向列設されるパチンコ島台１について示したが、片側に複数のパチンコ機１が列設されるパチンコ島台（いわゆる壁島または片面島）についても、本発明の技術思想を利用すればパチンコ島台の島幅寸法を小さくすることができる。
【００５８】
また、本発明の技術思想を利用すれば、アウト玉回収樋１７の幅寸法も小さく設計することができるものである。
【００５９】
更に、本実施形態においては、計数排出口８５と対面する位置に受け部８９が形成されたものを示したが、受け部８９が形成されず、計数排出口８５から排出されるパチンコ玉を傾斜側板８２で受け止めた後、アウト玉回収樋１７上に排出するものであってもよい。こうすることにより、受け部８９を形成する必要がなく、パチンコ島台１の製造コストを低減することができる。このとき、傾斜側板８２の表面に衝撃吸収材９２を貼着することにより、傾斜側板８２の損傷，破損を防止することができる。
【００６０】
【発明の効果】
以上、説明したところから明らかなように、請求項１に記載の発明においては、複数のパチンコ機が背向列設されると共に、獲得した景品玉を計数する計数装置が前記パチンコ機毎に対応して設置され且つ前記計数装置で計数され計数排出口から排出されたパチンコ玉及び前記パチンコ機で使用されたパチンコ玉をまとめて回収するアウト玉回収樋が内蔵されたパチンコ島台において、背向する前記パチンコ機に対応する前記計数排出口同士が、互いに対面し合わない位置に配置されて前記アウト玉回収樋に臨むことを特徴とするものである。このように構成することにより、計数排出口からパチンコ玉を勢いよく排出しても、対面する計数排出口からのパチンコ玉の排出を妨げることがないため、パチンコ玉をアウト玉回収樋上へ効率よく排出することができる。また、計数排出口から排出されるパチンコ玉同士の衝突が起こらないため、衝突による騒音の発生や、パチンコ玉の一箇所集中落下によるアウト玉回収樋の損傷，破損を防止することができる。更に、パチンコ玉の排出の勢いを弱める構造等が不要になるため、パチンコ島台の島幅寸法を小さく形成することができる。
【００６１】
また、請求項２に記載の発明においては、前記計数排出口と対面する位置に、その計数排出口から排出されたパチンコ玉を受けるための受け部が形成されていることを特徴とするものである。このように構成することにより、計数排出口から排出されるパチンコ玉の勢いを受け部で一旦弱めるため、アウト玉回収樋上のパチンコ玉の流下を妨げることなく、計数排出口から排出されたパチンコ玉をアウト玉回収樋上へ排出することができる。また、計数排出口からのパチンコ玉が直接アウト玉回収樋上へ排出されることがないため、アウト玉回収樋の損傷，破損を防止することができる。更に、パチンコ玉の排出の勢いを弱める構造としての受け部が、計数排出口と対面する位置に形成されているため、アウト玉回収樋上方のスペース、つまり、パチンコ玉がアウト玉回収樋を超える空間を利用することにより、前記受け部をできるだけ小さく形成することが可能になる。即ち、パチンコ島台内のスペースの有効利用は、パチンコ島台の島幅寸法を小さく形成することを可能にするものである。
【００６２】
【００６３】
また、請求項３に記載の発明においては、前記受け部には、対面する前記計数排出口から排出されて受け部に受け止められて前記アウト玉回収樋上へ排出されるパチンコ玉の流下方向を、前記アウト玉回収樋上を流下するパチンコ玉の流下方向とほぼ同一方向に変換する変流機構を備えたことを特徴とするものである。このように構成することにより、受け部に受け入れられたパチンコ玉が、アウト玉回収樋上のパチンコ玉の流下方向とほぼ同一方向でアウト玉回収樋上へ排出されるため、アウト玉回収樋上のパチンコ玉の流下を妨げることなく、計数排出口から排出されたパチンコ玉をアウト玉回収樋上へ排出することができる。
【００６４】
また、請求項４に記載の発明においては、前記受け部には、対面する前記計数排出口から排出されたパチンコ玉からの衝撃を吸収するための衝撃吸収材が貼着されていることを特徴とするものである。このように構成することにより、受け部に落下してくるパチンコ玉の衝撃を衝撃吸収材により吸収するため、受け部自体の損傷，破損や騒音の発生を防止することができる。
【００６５】
更に、請求項５に記載の発明においては、前記計数排出口は、該計数排出口から排出されるパチンコ玉の排出角度を調整するための排出角度調整機構を備えたことを特徴とするものである。このように構成することにより、計数排出口から排出されるパチンコ玉の排出角度を調整することでパチンコ玉の落下位置を変えることができるため、パチンコ玉を最適の位置に落下させることができる。
【図面の簡単な説明】
【図１】  本実施形態に係るパチンコ島台の内部を示す側面図である。
【図２】  パチンコ機が設置される部分のパチンコ島台の拡大図である。
【図３】  貯留タンク及び中継タンクの内部を透写した状態の斜視図である。
【図４】  実施形態に係るパチンコ機ユニットの内部を示す斜視図である。
【図５】  実施形態に係るパチンコ島台の内部を示す断面図である。
【符号の説明】
Ａ１〜Ａ１１  パチンコ機ユニット
１  パチンコ島台
２  パチンコ機
３  台間玉貸機
４  玉揚送装置
８  補給樋
１３  貯留タンク
１５  中継タンク
１７  アウト玉回収樋
８０  玉排出空間
８２  傾斜側板
８３  計数装置
８４  計数排出通路
８５  計数排出口
８６  カウンター台
８７  玉箱
８８  景品玉落下口
８９  受け部
９０  受け部側板
９１  受け部底板
９２  衝撃吸収材
９３  変流機構
９４  排出開口部
１００  排出角度調整機構
１０１  側板
１０２  底板
１０３  摺動溝
１０４  止めネジ
【図１】
0004674392.tif 000002
【図２】
0004674392.tif 000003
【図３】
0004674392.tif 000004
【図４】
0004674392.tif 000005
【図５】
0004674392.tif 000006